(57)【要約】【課題】歯を清掃する道具は、一度に数本の歯しか磨くことができず、すべての歯を磨くのに時間を要し、磨き残しをなくすためには、歯の隅々までブラシをあてる技術が必要であった。【解決手段】一度にすべての歯の隅々まで清掃するために、ブラッシングなどの力学的な清掃方法にかわり、歯の表面に直接接触しなくても歯垢をおとすことの出来る方式を採用して、歯を清掃する器具の口腔内に入れる部分の形状がマウスピース型の歯の清掃器具を用いることにより、一度に歯の隅々まで清掃をおこなうことの出来る器具を提供する。【選択図】図１
2004057315.tif 000002
【特許請求の範囲】
【請求項１】
一度にすべての歯を清掃するため、口腔内に入れる部分がマウスピースの形状をした歯の清掃器具。
【請求項２】
歯の隅々まで清掃するために、個人個人の歯型に合わせて作成したマウスピースを使用する、請求項１に記載の歯の清掃器具。
【請求項３】
歯の清掃のため、音波または超音波を用いた請求項１または請求項２に記載の歯の清掃器具。
【請求項４】
歯の清掃のため、マウスピース自体が振動することにより清掃を行う請求項１または請求項２または請求項３に記載の歯の清掃器具。
【請求項５】
歯の清掃の効率を上げるため、マウスピースの内側の表面に凹凸をもつ、または、多くの穴のあるマウスピースを使用する、請求項１乃至４のいずれか１項に記載の歯の清掃器具。
【請求項６】
歯の清掃のため、加圧液体を用いた請求項１または請求項２に記載の歯の清掃器具。
【請求項７】
歯から歯垢を剥がすために音波または超音波を利用し、マウスピース内側に設けた穴から液体を出すことにより、剥がされた歯垢を洗い流す構造をもった請求項１乃至５のいずれか１項に記載の歯の清掃器具。
【請求項８】
清掃のために供給された液体を排出する構造を持ったマウスピースを、歯の清掃に用いる請求項５または請求項６または請求項７に記載の歯の清掃器具。
【請求項９】
口腔内に入れる部分と、口腔外の部分が着脱可能な請求項１乃至８のいずれか１項に記載の歯の清掃器具。
【発明の詳細な説明】
【０００１】
【発明の属する技術分野】
この発明は、歯の清掃に用いる器具の構造に関する。
【０００２】
【従来の技術】
従来の歯の清掃に用いられた器具は、主に歯ブラシやノズルの形状をしているため、一度に多くの歯を清掃することが不可能な形状になっていた。かかる形状が採択されていた理由は、歯が複雑な形状をしいるため、隅々まで清掃するためには、口腔内で自由に動かす必要があるため、比較的小型であり、手動、電動にかかわらず、小さい隙間にも入り込めるブラシ状、または細かい所を清掃するのに適したノズル型である必要があると理解されていた。
【０００３】
【発明が解決しようとする課題】
解決しようとする問題点は、従来技術によれば、一度に数本の歯しかに清掃出来ないため、すべての歯をきれいに清掃するためには、時間を要し、歯の隅々までブラシをあてる技術が必要であった。一度にすべての歯の隅々まで清掃することが出来れば、歯の清掃に費やす時間の短縮と、磨き残しの防止となる。そこで、この発明は、特別な技術を必要とせず、すべての歯を一度に、短時間で隅々まで清掃することのできる歯の清掃器具を提供することを課題とする。
【０００４】
【課題を解決するための手段】
以上の課題を解決するために、請求項１の発明は、直接接触して汚れを落とすブラッシングなどの力学的な清掃方法に代わり、清掃器具と清掃する歯の表面が接触していなくても清掃を行える方式を採用し、歯を清掃する器具の口腔内の部分の形状をマウスピースの形状にする。
また、請求項２の発明は、個人個人の歯型に合わせて作ったマウスピースを使用することで、マウスピース内面と清掃する歯の表面の距離を短くすることができる。距離の短縮により、歯を清掃する手段に用いる音波、超音波、または振動、または圧力の減衰を少なく抑え、小さい出力で十分な清掃を行うことが出来る。また、請求項３の発明は、清掃中あまり動くことのないマウスピースが、ブラシによる力学的な歯の汚れの除去に代わり、歯を清掃する手段として、音波または超音波を用いる。
また、請求項４の発明は、歯の清掃に使う音波または超音波または振動を、マウスピース自体を振動させることにより発生させる構造をもつ。
また、請求項５の発明は、マウスピースと歯の接触する面に凹凸をもたせるか、多くの穴を開けることにより、マウスピースの振動が、歯およびマウスピースと歯の間に入る媒体（液体またはゲル）に効率的に振動を伝え、歯の清掃効果を上げることが出来る。また、凹凸が直接歯に触れて、振動することにより、歯を磨く効果も得ることが出来る。
また、請求項６の発明は、マウスピースの内側に多くの穴をもたせ、これらの穴から加圧された液体を発射することにより歯を清掃する構造をもつ。
また、請求項７の発明は、音波または超音波によって歯の表面から剥がされた汚れが、マウスピース内に溜まり、再度、歯に付着することを防ぐために、マウスピースの内側に液体の出る穴を設け、剥がした歯の汚れを洗い流す機能を兼ね備える構造をもつ。
また、請求項８の発明は、歯の清掃のため、マウスピースの内側から出された液体を、マウスピースの内側に排出口を設け排出することにより、口腔内に歯の清掃に用いた液体が大量に流れ出すことを防ぐ構造をもつ。
また、請求項９の発明は、口腔内に入れるマウスピースの部分を口腔外の部分と切り離すことにより、マウスピースの清掃を容易にし、マウスピース部分を取り替えるだけで、歯型の違う複数の人で、同じ装置を使用することができる。
【０００５】
【発明の実施の形態】
この発明の一実施形態を、図１に示す。口腔内に入れるマウスピース１と、歯の清掃の手段に利用する音波、または超音波、または振動、または液体を供給する本体２とを主な構成要素とする。
また、この発明の請求項７の一実施形態を、図２に示す。図２は器具の断面図となっている。本体２の内部には、マウスピース１の支柱４に振動発生器３が取り付けられていて、マウスピース１を振動させる。本体２の内部には、振動により剥がされた歯垢を洗い流す液体をためるタンク５と、液体をマウスピースに送るポンプ６がつながっている。ポンプ６からマウスピース１内に設けられた穴８に液体を導くチューブ７が支柱４内部を通りマウスピース１の内側まで液体を導く。穴８より、歯がおさまっているマウスピース歯型部分９に液体が供給され、剥がされた歯垢を洗い流す。
【０００６】
「実施形態の効果」
この実施形態によれば、マウスピースを用いることで、清掃すべき歯の表面と器具の距離を短くし、出力を抑えた小型の装置で、すべての歯を一度に隅々まで清掃することが可能になる。また、清掃する対象を歯および歯の周辺部に限定することが可能になり、不快感を抑え、効率的に歯を清掃することが出来る。
【０００７】
「他の実施形態」
図１の実施形態では、口腔外の装置の部分を手に持てる形状になっているが、口腔外の装置とした部分の機能をマウスピースに内蔵し、器具自体をマウスピースの形状にしたもの、または、マウスピース部分と口腔外の装置を、コード、チューブ、無線で接続し、離れた場所に置くもの、または、清掃に水を使用する場合、水道とチューブを介し接続し、本体に自動的に給水する形態であってもよい。
【０００８】
【発明の効果】
以上説明したように、この発明によれば、一度にすべての歯の隅々まで、磨き残しなく清掃することが可能になり、虫歯の予防、歯の清掃に費やす時間の節約に役立つ。
【図面の簡単な説明】
【図１】この発明の一実施形態を示す、投影図である。
【図２】この発明の一実施形態を示す、歯の清掃器具の断面図である。
【符号の説明】
１　マウスピース　　　　　　　　　　　２　本体
３　振動発生器　　　　　　　　　　　　４　マウスピース支柱
５　洗浄用液体タンク　　　　　　　　　６　ポンプ
７　チューブ　　　　　　　　　　　　　８　液体排出の穴
９　マウスピース歯型部分
【図１】
2004057315.tif 000003
【図２】
2004057315.tif 000004